(57)【特許請求の範囲】
【請求項１】
浴槽水の水位を水位センサで検知するようにした浴槽と、入浴などに関する選択スイッチ、および表示部を少なくとも有する浴室内の外部入力装置と、入浴などに関する選択スイッチ、および表示部を少なくとも有する浴室外の外部入力装置とを具備し、前記水位センサが浴槽水の水位上昇を検知し、その後、水位下降を検知している間を入浴者ありと外部入力装置の表示部に表示し、さらに、入浴者ありの状態で水位センサの出力変動をもとに入浴者の入浴状態を検知するようにした風呂装置。
【請求項２】
浴槽水の水位を水位センサで検知するようにした浴槽と、入浴などに関する選択スイッチ、音声発生装置および受信部を少なくとも有する浴室内の外部入力装置と、入浴などに関する選択スイッチ、音声発生装置および受信部を少なくとも有する浴室外の外部入力装置とを具備し、前記水位センサが浴槽水の水位上昇を検知し、その後、水位下降を検知している間を入浴者ありと外部入力装置側で報知し、さらに、入浴者ありの状態で前記浴室側の外部入力装置の音声発生装置からの音声レベルをもとに入浴者の入浴状態を検知するようにした風呂装置。
【請求項３】
入浴者ありの状態で水位センサの出力変動がない場合に浴室内の外部入力装置側の表示部で入浴者に警告表示を行うようにした請求項１記載の風呂装置。
【請求項４】
入浴者ありの状態で水位センサの出力変動がない場合に浴室側外部入力装置の音声発生装置を介して入浴者に音声警告を行うようにした請求項２記載の風呂装置。
【発明の詳細な説明】
【０００１】
【発明の属する技術分野】
本発明は、給湯や風呂の追焚き機能を備えた風呂装置に関するものである。
【０００２】
【従来の技術】
従来の風呂装置は図３に示すような構成になっていた。
【０００３】
水は水入口より水量センサ１、水温センサ２を通り、給湯熱交換器３で熱を吸収して、給湯センサ４、給湯水量制御弁５を通り、湯出口より放出される。ガスはガス入口より給
湯元電磁弁６、ガスの給湯比例弁７を通り、給湯バーナ８で燃焼される。
【０００４】
浴槽水は循環ポンプ２１により、風呂接続アダプタ１９、戻り通路１３、水位センサ１４、切替え３方弁１５、風呂センサ９、水流スイッチ１０、風呂熱交換器１１、往き通路１２、風呂接続アダプタ１９と循環し、風呂センサ９で検出する湯温が低下したときには、ガスがガスの風呂元電磁弁１６、風呂比例弁１７を通り、風呂バーナ１８で燃焼し、風呂熱交換器１１で熱を吸収して、浴槽水の追焚きを行う。
【０００５】
浴槽への湯はりは、給湯熱交換器３で熱を吸収した湯が給湯センサ４、給湯水量制御弁５を通り、給湯電磁弁２０、往き通路１２および風呂の戻り通路１３を通って、風呂接続アダプタ１９から浴槽に入る。
【０００６】
これらの給湯、追い焚き、湯張りなどの運転モードは、運転モードの設定を入力し、運転状態を表示できる浴室内の外部入力装置４１と浴室外の外部入力装置４２の情報に基づき運転モードを制御する制御手段４０により行われる。
【０００７】
浴室内の外部入力装置４１は、図４に示すように湯張りをする「ふろ自動」、追い焚きをする「追いだき」などの運転モードを入力するスイッチ２６、２７や各々の運転モードの運転状態を表示する表示部２８などから構成され、浴室外の外部入力装置４２は、図４に示すように湯張りをする「ふろ自動」の運転モードを入力するスイッチ３３や各々の運転モードの運転状態を表示する表示部３４などから構成されている。
【０００８】
【発明が解決しようとする課題】
しかしながら、従来の風呂装置では、浴室で入浴している人の状態を確認するためには、その度に浴室に行かなければならず、特に入浴者が高齢者や子供の場合浴槽内で動けなくなっていてもすぐにはわからないという課題を有していた。
【０００９】
【課題を解決するための手段】
上記課題を解決するために本発明の風呂装置は、浴槽水の水位を水位センサで検知するようにした浴槽と、入浴などに関する選択スイッチ、および表示部を少なくとも有する浴室内の外部入力装置と、入浴などに関する選択スイッチ、および表示部を少なくとも有する浴室外の外部入力装置とを具備し、前記水位センサが浴槽水の水位上昇を検知し、その後、水位下降を検知している間を入浴者ありと外部入力装置の表示部に表示し、さらに、入浴者ありの状態で水位センサの出力変動をもとに入浴者の入浴状態を検知するようにしたものである。
【００１０】
上記発明によれば、入浴者の有無はもちろん、入浴者の入浴状態を浴室外の外部入力装置で容易に知ることができる。
【００１１】
【発明の実施の形態】
本発明の風呂装置は、、浴槽水の水位を水位センサで検知するようにした浴槽と、入浴などに関する選択スイッチ、および表示部を少なくとも有する浴室内の外部入力装置と、入浴などに関する選択スイッチ、および表示部を少なくとも有する浴室外の外部入力装置とを具備し、前記水位センサが浴槽水の水位上昇を検知し、その後、水位下降を検知している間を入浴者ありと外部入力装置の表示部に表示し、さらに、入浴者ありの状態で水位センサの出力変動をもとに入浴者の入浴状態を検知するようにしたものである。
【００１２】
また、浴槽水の水位を水位センサで検知するようにした浴槽と、入浴などに関する選択スイッチ、音声発生装置および受信部を少なくとも有する浴室内の外部入力装置と、入浴などに関する選択スイッチ、音声発生装置および受信部を少なくとも有する浴室外の外部入力装置とを具備し、前記水位センサが浴槽水の水位上昇を検知し、その後、水位下降を検知している間を入浴者ありと外部入力装置側で報知し、さらに、入浴者ありの状態で前記浴室側の外部入力装置の音声発生装置からの音声レベルをもとに入浴者の入浴状態を検知するようにしたものである。
【００１３】
したがって、入浴者の有無はもちろん、入浴者の入浴状態を浴室外の外部入力装置で容易に知ることができる。
【００１４】
そして、入浴者ありの状態で水位センサの出力変動がない場合に、浴室内の外部入力装置側の表示部で入浴者に警告表示を行うようにしたり、浴室側外部入力装置の音声発生装置を介して入浴者に音声警告を行うようにする。
【００１５】
【実施例】
以下、本発明の実施例について図面を用いて説明する。
【００１６】
（実施例１）
図１は本発明の実施例１を示し、水は水入口より水量センサ１、水温センサ２を通り、給湯熱交換器３で熱を吸収して、給湯センサ４、給湯水量制御弁５を通り、湯出口より放出される。ガスはガス入口より給湯元電磁弁６、ガスの給湯比例弁７を通り、給湯バーナ８で燃焼される。
【００１７】
浴槽水は循環ポンプ２１により、風呂接続アダプタ１９、戻り通路１３、水位センサ１４、切替え３方弁１５、風呂センサ９、水流スイッチ１０、風呂熱交換器１１、往き通路１２、風呂接続アダプタ１９と循環し、風呂センサ９で検出する湯温が低下したときには、ガスがガスの風呂元電磁弁１６、風呂比例弁１７を通り、風呂バーナ１８で燃焼し、風呂熱交換器１１で熱を吸収して、浴槽水の追焚きを行う。
【００１８】
浴槽への湯はりは、給湯熱交換器３で熱を吸収した湯が給湯センサ４、給湯水量制御弁５を通り、給湯電磁弁２０、往き通路１２および風呂の戻り通路１３を通って、風呂接続アダプタ１９から浴槽に入る。
【００１９】
これらの給湯、追い焚き、湯張りなどの運転モードは、運転モードの設定を入力し、運転状態を表示できる浴室内の外部入力装置２３と浴室外の外部入力装置２４の情報に基づき運転モードを制御する制御手段２２により行われる。浴室内の外部入力装置２３は、図４に示すように湯張りをする「ふろ自動」、追い焚きをする「追いだき」などの運転モードを入力するスイッチ２６、２７や各々の運転モードの運転状態を表示する表示部２８、音声発生装置２９、受信部３０、モニタースイッチ３１などから構成され、浴室外の外部入力装置２４は、図２に示すように湯張りをする「ふろ自動」の運転モードを入力するスイッチ３３や各々の運転モードの運転状態を表示する表示部３４、音声発生装置３５、受信部３６、モニタースイッチ３７などから構成されている。
【００２０】
浴室外の外部入力装置２４のモニタースイッチ３７を押した後、入浴者が浴槽に入浴すると、風呂戻り通路１３に設けられた水位センサ１４の出力信号が一定値高くなり、この時に浴室外の外部入力装置２４の表示部３４に浴槽に人が入ったことを表示し、音声発生装置３５から浴槽に人が入ったことを音声でお知らせする。その後、水位センサ１４の出力信号が下降したことを検知するまでの間、すなわち人が浴槽に入って出るまでの間、水位センサ１４の出力が変化している場合は人が通常状態で入浴していると判断し、一定時間ごとに浴室外の外部入力装置２４の表示部３４に人が通常状態で入浴していることを表示し、音声発生装置３５から浴槽に人が通常状態で入浴していることを音声でお知らせする。
【００２１】
このような制御方法により、浴室で入浴している人が浴槽に入った後、いちいち浴室まで行かなくても、浴室外の外部入力装置２４で浴槽に人が通常状態で入浴していることを自動的に音声と表示で容易に知ることができる。
【００２２】
また、浴室外の外部入力装置２４のモニタースイッチ３７を押した後、水位センサ１４の出力信号が上昇したことを検知し、その後水位センサ１４の出力信号が下降したことを検知するまでの間、水位センサ１４の出力が一定時間変化しない場合には、浴室内の外部入力装置２３の表示部２８に入浴者に体を動かすように表示し、音声発生装置２９から入浴者に体を動かすように発信する。
【００２３】
このような制御方法により、浴室で入浴している人が浴槽に入った後、浴槽内で動かなくなった場合に、いちいち浴室まで行かなくても、浴室内の外部入力装置の音声と表示で自動的に入浴者に動くように指示することができる。
【００２４】
また、浴室外の外部入力装置２４のモニタースイッチ３７を押した後、水位センサ１４の出力信号が上昇したことを検知し、その後水位センサ１４の出力信号が下降したことを検知するまでの間、水位センサ１４の出力が一定時間変化せず、浴室内の外部入力装置２３の受信部３０から受信する浴室内の音声が一定のレベル以下である場合には、浴室内の外部入力装置２３の表示部２８に入浴者に体を動かすように表示し、音声発生装置２９から入浴者に体を動かすように発信する。
【００２５】
このような制御方法により、浴室で入浴している人が浴槽に入った後、浴槽内で動かなくなった場合に、いちいち浴室まで行かなくても、浴室内の外部入力装置の音声と表示で自動的に入浴者に動くように指示することができる。
【００２６】
また、浴室外の外部入力装置２４のモニタースイッチ３７を押した後に、水位センサ１４の出力信号が上昇したことを検知し、その後水位センサ１４の出力信号が下降したことを検知するまでの間は、浴槽の湯温を検出する風呂センサ９の検出信号により、浴槽から風呂熱交換器１１へ流れる循環水の温度の低下を検出しても、風呂熱交換器１１へ流れる循環水をバーナ１８で温水に加熱するように制御しないものである。
【００２７】
このような制御方法により、浴室外の外部入力装置２４でモニタースイッチ３７を押した後は、浴槽の循環水の温度が低下しても自動的に追い焚きしないことにより、入浴者の動きを水位センサ１４で正確に把握することが可能になる。
【００２８】
また、浴室外の外部入力装置２４のモニタースイッチ３７を押した後、水位センサ１４の出力信号が上昇したことを検知し、その後水位センサ１４の出力信号が下降したことを検知した後、循環ポンプ２１により浴槽水を循環し、浴槽の湯温を検出する風呂センサ９の検出信号により、浴槽から風呂熱交換器１１へ流れる循環水をバーナ１８で温水に加熱するものである。
【００２９】
このような制御方法により、入浴者が浴槽に入り、その後浴槽を出た後に浴槽の循環水の温度が低下していれば自動的に追い焚きすることにより、次の入浴者が適温の風呂に入浴することができる。
【００３０】
【発明の効果】
以上のように、本発明の風呂装置によれば、浴室外の外部入力装置により入浴者の有無はもちろん、入浴者の入浴状態までも知ることができるため、高齢者などの風呂装置として非常に有用である。
【図面の簡単な説明】
【図１】  本発明の実施例１における風呂給湯機の構成図
【図２】  （ａ）同給湯機の外部入力装置の正面図
（ｂ）同給湯機の他の外部入力装置の正面図
【図３】  従来の風呂給湯機の構成図
【図４】  （ａ）同給湯機の外部入力装置の正面図
（ｂ）同給湯器の別の外部入力装置の正面図
【符号の説明】
１４  水位センサ
２２  制御手段
２３  浴室内の外部入力装置
２４  浴室外の外部入力装置
２９、３５  音声発生装置
３０、３６  受信部
２８、３４  表示部
３１、３７  モニタースイッチ
【図１】
0003846270.tif 000002
【図２】
0003846270.tif 000003
【図３】
0003846270.tif 000004
【図４】
0003846270.tif 000005